(57)【要約】      （修正有）【課題】飾り台の組み立てが容易で、しかも収納時等の飾り台をコンパクトにすることができるようにした節句用飾り台の折畳み構造の提供を目的とする。【解決手段】左右一対の側板３と、該側板３を連結する後側板１とにより、各種の節句用飾りを載置する載置台を載置する節句用飾り台を設ける。各側板３は、後側板１に対して重なるように蝶番４で折畳み自在に連結される。各側板３の上下が上部片３Ａと下部片３Ｂとに二分されると共に、各上部片３Ａが各下部片３Ｂの外側面に重なるように蝶番５にて折畳み自在に設ける。該側板３の内側面に、下部片３Ｂの上部に立設された上部片３Ａを固定する固定具６を設ける。側板３において、前記上部片３Ａが下部片３Ｂに折畳まれた状態で、下部片３Ｂが前記後側板１に折畳み自在になるように蝶番４を設ける。【選択図】図２
0003134760.tif 000002
【実用新案登録請求の範囲】
【請求項１】
左右一対の側板と、該側板を連結する後側板とからなり、雛人形、五月人形、兜、鎧等の各種の節句用飾りを載置する載置台を載置する節句用飾り台であって、各側板は、後側板に対して重なるように蝶番で折畳み自在に連結され、各側板の上下が上部片と下部片とに二分されると共に、各上部片が各下部片の外側面に重なるように蝶番にて折畳み自在に設けられ、該側板の内側面に、下部片の上部に立設された上部片を固定する固定具を設けたことを特徴とする節句用飾り台の折畳み構造。
【請求項２】
前記側板において、前記上部片が下部片に折畳まれた状態で、下部片が前記後側板に折畳み自在になるように前記蝶番が設けられた請求項１記載の節句用飾り台の折畳み構造。
【請求項３】
前記後側板の左右に一対の支柱が固定され、該支柱に前記側板が前記蝶番にて揺動自在に連結された請求項１又は２記載の節句用飾り台の折畳み構造。
【請求項４】
前記側板の上部片と下部片との上端縁に、前記載置台を載置する複数の段部が形成された請求項１乃至３いずれか記載の節句用飾り台の折畳み構造。
【考案の詳細な説明】
【技術分野】
【０００１】
本考案は、主に、雛人形や五月人形等の節句用飾りを載置する節句用飾り台の折畳み構造に係り、飾り台の組み立てが容易で、しかも収納時等の飾り台をコンパクトにすることができる節句用飾り台の折畳み構造に関する。
【背景技術】
【０００２】
当出願人は、先に、特許文献１に記載の節句用飾り台を提案している。この飾り台は、重量感に富む飾り台を軽量に提供するための工夫が成されたものである。すなわち、毛氈の上に木製の載置板を載せるようにし、この木製の載置板に雛人形等を置くことで、洋間に飾っても違和感なく、しかも重量感に富んだ飾り付けが可能になるものである。
【特許文献１】実用新案登録第３０４５０５４号公報
【考案の開示】
【考案が解決しようとする課題】
【０００３】
特許文献１で示すように、飾り付け部分の載置台などは、任意に変更することが可能であるが、これまでの飾り台はスチール製の基台の上に飾り付けることが多いものであった。そのため、このスチール製の基台を組み立てる際に、多くの手間と時間がかかる不都合があった。
【０００４】
一方、ひな壇の数が少ない飾り付けにあっては、この種の飾り台を簡素化する試みもある。ところが、スチール製の載置台などでは、各部の接続箇所が多いので、組み立て作業に手間を要することは変わらなかった。
【０００５】
そこで本考案は、上述の課題を解消すべく案出されたもので、飾り台の組み立てが容易で、しかも収納時等の飾り台をコンパクトにすることができるようにした節句用飾り台の折畳み構造の提供を目的とするものである。
【課題を解決するための手段】
【０００６】
本考案の第１の手段は、左右一対の側板３と、該側板３を連結する後側板１とからなり、雛人形、五月人形、兜、鎧等の各種の節句用飾りＰを載置する載置台Ｑを載置する節句用飾り台であって、各側板３は、後側板１に対して重なるように蝶番４で折畳み自在に連結され、各側板３の上下が上部片３Ａと下部片３Ｂとに二分されると共に、各上部片３Ａが各下部片３Ｂの外側面に重なるように蝶番５にて折畳み自在に設けられ、該側板３の内側面に、下部片３Ｂの上部に立設された上部片３Ａを固定する固定具６を設けたことにある。
【０００７】
第２の手段は、前記側板３において、前記上部片３Ａが下部片３Ｂに折畳まれた状態で、下部片３Ｂが前記後側板１に折畳み自在になるように前記蝶番４が設けられている。
【０００８】
第３の手段は、前記後側板１の左右に一対の支柱２が固定され、該支柱２に前記側板３が前記蝶番４にて揺動自在に連結されている。
【０００９】
第４の手段は、前記側板３の上部片３Ａと下部片３Ｂとの上端縁に、前記載置台Ｑを載置する複数の段部３Cが形成されたことを課題解消のための手段とする。
【考案の効果】
【００１０】
本考案の請求項１に記載の如く、各側板３は、後側板１に対して重なるように蝶番４で折畳み自在に連結され、各側板３の上下が上部片３Ａと下部片３Ｂとに二分されると共に、各上部片３Ａが各下部片３Ｂの外側面に重なるように蝶番５にて折畳み自在に設けられ、該側板３の内側面に、下部片３Ｂの上部に立設された上部片３Ａを固定する固定具６を設けたことにより、飾り台の組み立てが容易で、しかも収納時等の飾り台をコンパクトにすることができるものである。
【００１１】
また、請求項２により、前記側板３において、前記上部片３Ａが下部片３Ｂに折畳まれた状態で、下部片３Ｂが前記後側板１に折畳み自在になるように前記蝶番４が設けられているので、後側板１上に各上部片３Ａや各下部片３Ｂを重ねることができ、コンパクトな収納が可能である。
【００１２】
更に、請求項３により、前記後側板１の左右に一対の支柱２が固定され、該支柱２に前記側板３が前記蝶番４にて揺動自在に連結したことで、本考案飾り台の支持強度を高めている。
【００１３】
そして、請求項４の如く、前記側板３の上部片３Ａと下部片３Ｂとの上端縁に、前記載置台Ｑを載置する複数の段部３Cを形成することで、何段の載置台Ｑでも対応することが可能である。
【００１４】
このように、本考案によると、飾り台の組み立てが容易で、しかも収納時等の飾り台をコンパクトにすることができるなどといった有益な種々の効果を奏するものである。
【考案を実施するための最良の形態】
【００１５】
本考案の最良の形態は、左右一対の側板３と、該側板３を連結する後側板１とからなり、各種の節句用飾りＰを載置する載置台Ｑを載置する節句用飾り台を設ける。各側板３は、後側板１に対して重なるように蝶番４で折畳み自在に連結される。各側板３の上下が上部片３Ａと下部片３Ｂとに二分されると共に、各上部片３Ａが各下部片３Ｂの外側面に重なるように蝶番５にて折畳み自在に設ける。該側板３の内側面に、下部片３Ｂの上部に立設された上部片３Ａを固定する固定具６を設ける。側板３において、前記上部片３Ａが下部片３Ｂに折畳まれた状態で、下部片３Ｂが前記後側板１に折畳み自在になるように蝶番４を設けることで、当初の目的を達成するものである。
【実施例】
【００１６】
以下、添付した図面に沿ってこの考案について詳細に説明する。本考案折畳み構造は、節句用飾り台の後側板１と側板３とに関するもので、雛人形、五月人形、兜、鎧等の各種の節句用飾りＰを載置する載置台Ｑを載置するものである（図１参照）。
【００１７】
すなわち、後側板１の両端部に左右一対の側板３が揺動自在に連結されている（図２参照）。この側板３は、後側板１の左右に一対の支柱２が固定され、該支柱２に設けた蝶番４で、各側板３が後側板１に対して重なるように折畳み自在に連結されている（図３参照）。
【００１８】
各側板３は、上下が二分されて上部片３Ａと下部片３Ｂとが設けられている（図２参照）。更に、各上部片３Ａは、各下部片３Ｂの外側面に重なるように蝶番５にて折畳み自在に連結されている。図示例の蝶番５は、側板３の外側面に配されたものである。一方、側板３の内側面に固定具６を設けている。この固定具６は、下部片３Ｂの上部に立設された上部片３Ａを下部片３Ｂに固定する部材である（図３参照）。図示の固定具６は、上部片３Ａに設けたフック部６Aに、下部片３Ｂに設けたリング部６Bを係止して固定する構造を成しているが、図示例に限られるものではなく、上部片３Ａと下部片３Ｂとを立設状態で固定できるものであればよい。
【００１９】
蝶番４、５は、上部片３Ａが下部片３Ｂに折畳まれた状態で、下部片３Ｂが前記後側板１に折畳み自在になるように設けられている（図２参照）。すなわち、蝶番５は、下部片３Ｂの外側に上部片３Ａが重なるように配されており、蝶番４は、この重なった下部片３Ｂが後側板１に重なるように揺動するように配されている。
【００２０】
使用時における側板３の上部片３Ａと下部片３Ｂには、載置台Ｑを載置するものである（図１参照）。そのため、上部片３Ａと下部片３Ｂとの上端縁に、前記載置台Ｑを載置する複数の段部３Cを形成している（図２参照）。図示例の段部３Cは、三段飾り用の段部３Cを形成しているが、飾り台の種類に応じて何段に形成してもよい。
【００２１】
本考案の使用時には、折畳まれている状態の側板３を後側板１から展開し、次に、上部片３Ａを下部片３Ｂ上に立設して固定具６にて固定するだけの手順で節句用飾り台が構成される。したがって、その後は、飾り台の種類に応じて載置台Ｑを載せ、各種の節句用飾りＰを飾り付けるものである（図１参照）。図示例では、側板３の前面位置に前側板７を装着しているが、前側板７の代わりに毛氈などを使用することも可能である。一方、収納時には、逆の手順で折畳むことで、二つに折畳まれた各側板３が後側板１上に重ねられた状態になり、コンパクトな収納ができるものである。
【００２２】
尚、本考案における図示例の各構成は、本考案の一実施例に過ぎず、例えば後側板１や側板３の材質として木材の他、合成樹脂材や軽量な金属材の使用も可能であり、また、材質や形状の変更、連結手段や固定手段の置換など、現在知られている技術で自由に変更することができるものである。
【図面の簡単な説明】
【００２３】
【図１】本考案の使用状態を示す正面図である。
【図２】本考案の一実施例を示す斜視図である。
【図３】本考案の一実施例を示す要部拡大斜視図である。
【符号の説明】
【００２４】
Ｐ 節句用飾り
Ｑ 載置台
１ 後側板
２ 支柱
３ 側板
３Ａ 上部片
３Ｂ 下部片
３Ｃ 段部
４ 蝶番
５ 蝶番
６ 固定具
６Ａ フック部
６Ｂ リング部
【図１】
0003134760.tif 000003
【図２】
0003134760.tif 000004
【図３】
0003134760.tif 000005